(57)【要約】【課題】  従来、製品を製造する工程、あるいは出荷時には必ず製品の試験・検査を行い、品質管理票や完成検査票などの名称のチェックシートに、製品名、製造番号、試験結果、検査結果等を記入して、予め決められた期間保管している。このチェックシートの記入に対するチェックは目視による確認を行うだけなので、多数の記入欄を完全に確認することは難しい。この問題を解決するために、目視確認ではなく、コンピュータ画像処理によって記入漏れをチェックする。【解決手段】  (1)記入漏れのチェック位置検出シートを作成し、対象のチェックシートに対応して、記入漏れを判定すべき位置に黒枠を描いておく。また、１つの黒枠の中に、種々のチェックシートの区別ができるようなユニークな記号を記入しておく。(2)記入漏れのチェック位置検出用シートの登録処理を行う。 (3)チェックシートの記入漏れを検出する画像処理を行う。【選択図】  図１
2005149441.tif 000002
【特許請求の範囲】
【請求項１】
各種の製品に添付するチェックシートの記入漏れをコンピュータによる画像処理を利用して、種々のチェックシートの記入漏れを検出するためのチェック位置検出用シートの作成方法と、その登録方法とを設けたことを特徴とするチェックシートの記入漏れを検出するための画像処理方法。
【請求項２】
前記チェックシートの記入漏れを検出するための画像処理方法を、スキャナ部と、メモリと、表示部と、外部記憶装置と、統括制御・画像処理部とによって構成したことを特徴とする請求項１に記載のチェックシートの記入漏れを検出するための画像処理方法。
【発明の詳細な説明】
【技術分野】
【０００１】
製造業において、必ず製品に添付しておくチェックシートの記入漏れを検出して、その記入漏れを防止するためのチェックシートの画像処理方法に関する。
【背景技術】
【０００２】
製造業においては、製品を製造する工程、あるいは、出荷前には必ず製品の性能試験、検査を行い、品質管理票とか完成検査票などの名称を付したチェックシートに、製品名、製造番号、試験結果、検査結果等を記入し、予め決められた期間、所定の場所に保管している。
【特許文献１】特開２００３−２６３６０６号公報
【発明の開示】
【発明が解決しようとする課題】
【０００３】
このチェックシートには記入漏れがあってはならないもので、製品出荷後の保存期間中に記入漏れが発見されると大問題になりうる。
ところが、このチェックシートの記入に対するチェックは、目視による確認を行うだけなので、多数の記入欄を完全に確認することは難しい。また、製品ごとに検査項目が異なるので、記入欄の位置や総数が変動し、目視確認を困難にしている。
【課題を解決するための手段】
【０００４】
上述した課題を解決するためには、チェックシートを目視による確認ではなく、コンピュータ画像処理により記入漏れをチェックすることで解決できる。
画像処理で記入漏れを判定するに当って、種々のチェックシートの記入欄の位置や総数の変動を自動的に識別し、記入漏れを検出しなければならない。
【発明の効果】
【０００５】
本発明によるチェックシートの記入漏れを検出するための画像処理方法では、コンピュータ画像処理によりチェック位置検出用シートを作成して、チェックシートの記入漏れをコンピュータによりチェックして、目視確認による記入漏れをなくすことができる。
【０００６】
従って、種々のチェックシートの記入欄の位置や、総数の変動をコンピュータによって自動的に識別できるので、目視による個人誤差はなくなり、チェック時間の短縮ができる。
【０００７】
さらに、チェックシートのチェック結果は外部記憶装置に保存されるので、随時、読み出してチェックすることは容易であり、製品の性能試験結果を参考にしてより性能効率を向上させる資料として利用できる。
【発明を実施するための最良の形態】
【０００８】
本発明を実施するための最良の形態について、種々のチェックシートの記入漏れを検出するためのチェック位置検出方法を実現できるチェック位置検出シートの作成方法と、その登録方法を示す統括制御・画像処理部の構成を図１に示す。
【実施例１】
【０００９】
統括制御・画像処理部１は、用紙の表面をスキャンして２値画像としてメモリ３に入力するスキャナ部２と、スキャナ部２から２値画像データ６を読み込んだ２値画像を表示する表示部４と、用紙ごとの切り出し位置情報を保存する外部記憶装置５によって構成してある。
【００１０】
まず、記入漏れのチェック位置検出用シート（図４）を作成する。
このシートは、対象のチェックシート７（図３）に対応して、記入漏れを判定すべき位置に黒枠を描いておく。
また、１つの黒枠の中に、種々のチェックシートの区別ができるようなユニークな記号を記入しておく。（図４では、チェックシートに記入されている型式を採用している。）
【００１１】
記入漏れのチェック位置検出用シートの登録処理を、図５のフローチャートを用いて説明する。
【００１２】
まず、チェック位置検出用シートをスキャナ部２からメモリ３に読み込み（Ｓ１１）、図２に示す２値画像データとして、メモリ３に展開する。
【００１３】
次に、チェック位置検出用シートのコーナー（四隅）を検出し（Ｓ１２）、座標を保存する。
【００１４】
次に、水平方向から見た黒枠の位置を検出するため、水平方向の射影を作成する（Ｓ１３）。
水平方向から見て、黒枠の無い部分は０、黒枠の有る部分は１とすると、図６に示す射影が得られる。
【００１５】
次に、黒枠の位置を全て検出する。
黒枠の座標を検出するために、まず、水平走査の開始点を決める（Ｓ１４）。
ｘ座標はシートの左端、ｙ座標は最上段の射影の中心とする。
【００１６】
開始点から右端に向けて走査し、白から黒になる点（黒枠部分）を検出する（Ｓ１５）。
【００１７】
走査終了点（右端）を検出したか（Ｓ１６）を判定しながら走査を行い、黒枠部分を検出したら（Ｓ１７）、その点から輪郭線追跡を行い、ｘ，ｙ座標の最小値（黒枠の左上コーナー）と最大値（黒枠の右下コーナー）を求める（Ｓ１８）。
【００１８】
求めた座標はメモリ３に保存し、走査を再開する。
再開開始点は、ｘ座標は求めた最大値＋１とする（Ｓ１９）（ｙ座標はそのまま）。
【００１９】
走査が右端に達するまで（Ｓ１５〜Ｓ１９）を繰り返す。
右端に到達したら、走査開始点を次の段の射影にする（Ｓ２１）（ｘ座標はシートの左端、ｙ座標は次の段の射影の中心）。
【００２０】
最下段の射影を走査終了すると、全ての黒枠の位置がメモリ３に保存されることになる。
次に、チェックの型式を読み取る処理を行う。
メモリ３に保存されている黒枠の座標から、１つずつ座標の範囲内を走査し、文字の存在する黒枠座標をメモリ３に保存し、さらに、その文字を認識する（Ｓ２２）。
【００２１】
チェックシートの型式と、型式が存在する黒枠の座標と、全黒枠の座標を外部記憶装置５に保存する（Ｓ２３）。
同様にして、種々の記入漏れチェック位置検出用シートの登録処理を行う。
【００２２】
次に、チェックシートの記入漏れを検出する画像処理方法を、図７を用いて説明する。
【００２３】
チェックシートをスキャナ部２からメモリ３を読み込み（Ｓ３１）、図２に示す２値画像としてメモリ３に展開する。
【００２４】
次に、チェックシートのコーナー（四隅）を検出し、座標を保存する（Ｓ３２）。
外部記憶装置５から、型式が存在する黒枠の座標を読み込む（Ｓ３３）。
【００２５】
この黒枠の座標で、チェックシートの該当する範囲内で文字の検出を行う（Ｓ３４）。
検出できるまで、外部記憶装置５から種々の型式が存在する黒枠の座標を読み込み文字検出する。
【００２６】
文字を検出したら文字認識を行い（Ｓ３５）、型式が一致するかを判定し（Ｓ３６）、型式が一致したら、外部記憶装置５から全黒枠の座標を読み込む（Ｓ３７）。
【００２７】
黒枠の座標に対して、範囲内を走査し、塊状物の検出処理を行う（Ｓ３８）。
【００２８】
検出したら（Ｓ３９）、塊状物が任意の大きさ以上であることを判定する（Ｓ４０）。
【００２９】
任意の大きさ以上であれば、チェックされていると判定し、次の黒枠の座標に対して、範囲内を走査して塊状物の検出処理を行う。全黒枠座標を終えるまで（Ｓ３８〜Ｓ４０）を繰り返す。
塊状物が検出できない黒枠座標であれば、記入漏れと判断し、その黒枠座標を保存する（Ｓ４２）。
【００３０】
記入漏れの黒枠座標を、図８に示すように表示部４に表示する。
【図面の簡単な説明】
【００３１】
【図１】チェックシートの記入漏れを検出するための画像処理方法と登録方法を示すブロック図。
【図２】スキャナ部からメモリに入力した２値画像。
【図３】読み取るチェックシート。
【図４】記入漏れのチェック位置検出用シート。
【図５】チェック位置検出用シートの登録処理を示すフローチャート。
【図６】水平方向の射影。
【図７】チェックシートの記入漏れ検出処理を示すフローチャート。
【図８】記入漏れの黒枠座標の表示部を表示するチェックシート。
【符号の説明】
【００３２】
１    統括制御・画像処理部
２    スキャナ部
３    メモリ
４    表示部
５    外部記憶装置
６    スキャナ部からメモリに入力した２値画像
７    読み取るチェックシート
８    記入漏れのチェック位置検出シート
９    水平方向の射影
１０  記入漏れの黒枠座標を表示部に表示するチェックシート
【図１】
2005149441.tif 000003
【図２】
2005149441.tif 000004
【図３】
2005149441.tif 000005
【図４】
2005149441.tif 000006
【図５】
2005149441.tif 000007
【図６】
2005149441.tif 000008
【図７】
2005149441.tif 000009
【図８】
2005149441.tif 000010